(57)【要約】【課題】冷却機能を設けた装置全体がまくら本体の中に収納されており、体温を感知するセンサーの働きで、体温を瞬間に感知して自動的に作動し、解熱までの冷却作業を自動で達成することのできる自動冷却式水枕を提供すること。【解決課題】筺体と、筺体の上面に配置され、内部に液体又はジェル状の冷却物体を含むマット状の水まくらと、筺体内に収納される、冷媒タンク、冷媒タンクに接続される第1冷媒管、第1冷媒管に冷媒を圧送する圧縮機、第1冷媒管の冷媒を冷却する冷却ファン、圧縮機及び冷却ファンを作動させる電動機、電動機に送電する主電源と、水まくら内に収納され、第1冷媒管及び前記冷媒タンクに接続されジグザグ状に配置される第２冷媒管と、患者の体温を検出するための温度センサーと、筺体に付属し、温度センサーの指令に基づき主電源の電源スイッチをＯＮ又はＯＦＦにするリレー電源と、を有する自動冷却式水まくらとする。【選択図】図１
2010036020.tif 000002
【特許請求の範囲】
【請求項１】
金属、化学樹脂又は硬質ゴムの少なくともいずれかを含んで構成される筺体と、
前記筺体の上面に配置され、ゴム、化学樹脂又は防水布の少なくともいずれかを用いて構成され、その内部に液体又はジェル状の冷却物体を含むマット状の水まくらと、
前記筺体内に収納される、冷媒タンク、前記冷媒タンクに接続される第1冷媒管、前記第1冷媒管に冷媒を圧送する圧縮機、前記第1冷媒管の冷媒を冷却する冷却ファン、前記圧縮機及び前記冷却ファンを作動させる電動機、及び、前記電動機に送電する主電源と、
前記水まくら内に収納され、かつ、前記第1冷媒管及び前記冷媒タンクに接続されジグザグ状に配置される第２冷媒管と、
患者の体温を検出するための温度センサーと、
前記筺体に付属し、前記温度センサーの指令に基づき前記主電源の電源スイッチをＯＮ又はＯＦＦにするリレー電源と、を有し、
前記温度センサーの指令によって、前記患者の体温が平熱以上の体温であると感知した場合には前記リレー電源の電源スイッチがＯＮとなり前記電動機を作動させて前記第１冷却管及び第２冷却管に冷媒を前記冷却ファンを用いて冷却させながら循環させる一方、前記患者の体温が平熱に回復した場合には、前記リレー電源の電源スイッチがＯＦＦとなり前記電動機を停止させる自動冷却式水まくら。
【請求項２】
前記温度センサーは、前記マット上の水まくらの表面に配置されてなる請求項１記載の自動冷却式水まくら。
【請求項３】
前記筺体は、中央部に凹部が設けられており、前記凹部に前記水まくらが配置されている請求項１記載の自動冷却式水まくら。
【請求項４】
前記筺体の前記中央部の内部に、前記冷媒タンク及び前記圧縮機が配置され、前記冷媒タンク及び前記圧縮機を挟むように前記電動機及び前記主電源が配置されてなる請求項３記載の自動冷却式水まくら。
【請求項５】
前記筺体の両側面に通気孔が設けられており、
前記それぞれの通気孔近傍において前記冷却ファンが設けられている請求項１記載の自動冷却式水まくら。
【請求項６】
前記筺体の背面に通気孔が設けられており、
前記両側面に配置された冷却ファンの送風方向が略反対方向である請求項１記載の自動冷却式水まくら。
【請求項７】
前記主電源は、蓄電池、乾電池、燃料電池、リチウムイオン電池又はリチウムポリマ電池のいずれかを備えてなる請求項１記載の自動冷却式水まくら。
【発明の詳細な説明】
【背景技術】
【０００１】
本発明は自動冷却式水まくらに関する。
【０００２】
発熱した患者の熱を下げる方法として、水まくらが有用である。従来の水まくらとして、例えば、ゴム製の氷まくらに氷を砕いて水とともに塩を入れ、患者の首元に敷くものや額に載せるものが一般的である。
【０００３】
これら水まくらに関する先行技術としては、下記特許文献に記載がある。例えば、下記特許文献１には、患部冷却装置において、冷却装置と、この冷却装置によって冷却された冷媒が循環する循環路の一部を構成する冷媒通路を内蔵し、この冷媒通路を通る冷媒により熱交換される患部冷却体とから構成された患部冷却装置に関する記載がある。なお、患部冷却体は可撓性を有する本体内に冷却通路を配置したものである技術に関する記載がある。
【０００４】
また、下記特許文献２には、冷媒循環式水まくらにおいて、吸熱部（水まくら部）と熱源部（氷投入部）を分離して設置し、相互をホースなどで連結して冷媒を循環させることによって吸熱部を常に低温に保つことが出来るようにした水まくらの記載があり、また冷媒の温度や流量を調節することによって、吸熱部の温度を調節することができる水枕の記載も見られる。
【０００５】
さらに下記特許文献３には、冷却装置においてペルチェ素子の電子熱交換素子が取り付けられた第１熱交換器と、ゴムなどの袋体内に水とともに封入された第２熱交換器と、第１及び第２熱交換器間を接続する２本の熱媒体封入パイプと該熱媒体封入パイプの一方に接続されたポンプで構成した冷加熱装置の記載がある。
【０００６】
【特許文献１】特開平８−２９９３７９号公報
【特許文献２】特開平８−２７５９６６号公報
【特許文献３】特開平８−８４７４４号公報
【発明の開示】
【発明が解決しようとする課題】
【０００７】
以上のべた従来の水まくらは、氷水の入れ替えに人為的な手間と労力、時間が必要となり、万一氷がなくなった場合には、これを知らせる伝達機能や患者の発熱時の感知機能の必要があった。
【０００８】
また、特許文献１に記載された冷却装置は、冷却装置そのものが枕本体の中に収納されているものではなく、他の場所に配置されており、患者の体温を感知するためのセンサー機能が全く設けられていない。
【０００９】
また、特許文献２に記載された冷媒循環式水まくらは、冷却機能が枕のように頭の下に敷くものではなく、頭の近くにおいて冷風や温風が頭に当るように吹きかけて用いるもので、これにも体温を感知するセンサー機能が全く取り付けられていない。
【００１０】
更に、特許文献３にも、特許文献１と同様に、冷却装置そのものがまくら本体の中に収納されているものではなく、他の場所に配置されており、患者の体温を感知するためのセンサー機能が全く設けられていない。
【００１１】
すなわち、本発明は、上記課題を解決するものであり、冷却機能を設けた装置全体がまくら本体の中に収納されており、体温を感知するセンサーの働きで、体温を瞬間に感知して自動的に作動し、解熱までの冷却作業を自動で達成することのできる自動冷却式水まくらを提供することを目的とする。
【課題を解決するための手段】
【００１２】
上記目的を達成する本発明の一観点に係る自動冷却式水まくらは、金属、化学樹脂又は硬質ゴムの少なくともいずれかを含んで構成される筺体と、筺体の上面に配置されゴム、化学樹脂又は防水布の少なくともいずれかを用いて構成され、その内部に液体又はジェル状の冷却物体を含むマット状の水まくらと、筺体内に収納される、冷媒タンク、冷媒タンクに接続される第1冷媒管、第1冷媒管に冷媒を圧送する圧縮機、第1冷媒管の冷媒を冷却する冷却ファン、圧縮機及び冷却ファンを作動させる電動機、及び、電動機に送電する主電源と、水まくら内に収納され、かつ、第1冷媒管及び冷媒タンクに接続されジグザグ状に配置される第２冷媒管と、患者の体温を検出する温度センサーと、筺体に付属し、温度センサーの指令に基づき主電源の電源スイッチをＯＮ又はＯＦＦにするリレー電源と、を有し、温度センサーの指令によって、患者の体温が平熱以上の体温であると感知した場合には前記リレー電源の電源スイッチがＯＮとなり電動機を作動させて第１冷却管及び第２冷却管に冷媒を冷却ファンを用いて冷却させながら循環させる一方、患者の体温が平熱に回復した場合には、前記リレー電源の電源スイッチがＯＦＦとなり電動機を停止させる。
【発明の効果】
【００１３】
本発明により、以下に示す効果が期待できる。
（１）水まくら本体が小型軽量となる。
（２）冷却装置そのものがまくら本体の中に収納されているため、持ち運び、設置が簡便である。
（３）発熱から解熱までセンサーで自動的に制御することができるため手間がかからない。
（４）普段は一般的なまくらとして活用できるので急に発熱しても、瞬時に対応ができる。
（５）一般家庭用としての使用拡大も図られる。
【発明を実施するための最良の形態】
【００１４】
以下、本発明の実施の形態について、図面を用いて詳細に説明する。ただし、本発明は多くの異なる形態による実施が可能であり、以下に示す実施の形態の直接的な記載にのみ限定されるものではないことは言うまでもない。
【００１５】
図１は、本実施形態に係る自動冷却式水まくらの上面図、図２は右側面図（図１におけるＡ方向から見た場合の図）、図３は左側面図（図１におけるＢ方向から見た場合の図）、図４及び図５は筺体２内部の配置の概略図（図４は上面から見た場合の断面図、図５は背面（Ｃ方向）から見た場合の断面図）であり、図６は自動冷却四季水まくらの水まくらの背面図であり、図７は水まくら３内の第２冷却管の配置の概略上面図である。
【００１６】
これらの図で示すように、本自動冷却式水まくら１は、金属、化学樹脂又は硬質ゴムの少なくともいずれかを含んで構成される筺体２と、筺体２の上面に配置され、柔軟性及び弾力のある、ゴム、化学樹脂又は防水布の少なくともいずれかを用いて構成され、その内部に液体又はジェル状の冷却物体を含むマット状の水まくら３と、筺体２内に収納される、冷媒タンク２１、冷媒タンク２１に接続される第1冷媒管２２、第1冷媒管２２に冷媒を圧送する圧縮機２３、第1冷媒管２２の冷媒を冷却する冷却ファン２４、圧縮機２３及び冷却ファン２４を作動させる電動機２５、及び、電動機２５に送電する主電源２６と、水まくら３内に収納され、かつ、第1冷媒管２２及び冷媒タンク２１に接続されジグザグ状に配置される第２冷媒管と３１と、患者の体温を検出するための温度センサー３２と、筺体２に付属し、温度センサー３２の指令に基づき主電源２６の電源スイッチをＯＮ又はＯＦＦにするリレー電源２７と、を有し、温度センサー３２の指令によって、患者の体温が平熱以上の体温であると感知した場合にはリレー電源２７が主電源の電源スイッチをＯＮにして電動機２５を作動させて第１冷却管２２及び第２冷却管３１に冷媒を冷却ファン２４を用いて冷却させながら循環させる一方、患者の体温が平熱に回復した場合には、リレー電源２７が主電源の電源スイッチをＯＦＦにして電動機２６を停止させる。
【００１７】
本実施形態において筺体２は、自動式冷却水まくらの主要な骨格を形成するものの一つである。筺体２は、内部に冷媒タンク等の各装置を内蔵するとともに外部の衝撃から護り、持ち運びの際にも内蔵された各装置の配置関係を安定的に維持することができる程度に硬い材質で構成されてなることが好ましく、この限りにおいて限定されるわけではないが、金属、化学樹脂又は硬質ゴムの少なくともいずれかを含んで構成されていることが好ましい。
【００１８】
また本実施形態において、筺体２の上面に水まくら３が配置されている。水まくら３は、発熱した患者の熱を冷ますため、内部に液体又はジェル上の冷却物体を含んでいる。なお、水まくら３は、柔軟性及び弾力のある、ゴム、化学樹脂又は防水布の少なくともいずれかを用いて構成されていることが好ましい。なおここで冷却物体の例としては、上記機能を有する限りにおいて限定されるわけではないが、例えば水に不凍液、ゲル化剤等の各種添加剤を加えたものを用いていることは好ましい一例である。
【００１９】
また、本実施形態において、筺体２内には、上記の通り、冷媒タンク２１、冷媒タンク２１に接続される第1冷媒管２２、第1冷媒管２２に冷媒を圧送する圧縮機２３、第1冷媒管２２の冷媒を冷却する冷却ファン２４、圧縮機２３及び冷却ファン２４を作動させる電動機２５、及び、電動機２５に送電する主電源２６が収納されている。
【００２０】
また本実施形態において、筺体２は、中央部に凹部２７が設けられており、凹部２７に水まくらが固定、配置されていることが好ましい。このようにすることで、筺体２の中心部以外の部分（側部）で容積を確保することができるとともに、まくらの位置を必要以上に高くしない（低く設定できる）といった利点がある。なお、凹部２７を設けて水まくらを配置し、水まくらの側部から後述する第１の冷却管を挿入して第２の冷却管に接続させることで、冷却管によって固定されるため患者が頭を水まくらに乗せた場合にずれが横向きに生じにくくなり、仮に多少生じたとしても、垂直下方向から配置する場合に比べ水まくらの材質に与える負荷が小さくなりといった利点がある（図８のイメージ図参照。）。
【００２１】
また本実施形態において冷媒タンク２１は、第１例冷媒管２２及び第２冷媒管３１を循環する冷媒を貯蔵するための装置である。冷媒タンク２１の配置としては、限定されるわけではないが、筺体２の中央部の内部（水まくらの下）に設けられていることが好ましい。冷媒タンク２１は、流体である冷媒を貯蔵する所望の体積が達成できれば形状については特に制限が無く、凹部が設けられた比較的薄い中央部であっても配置が可能であり、更に、患者が頭部を載せた場合であっても、振動を大きく発生させる装置ではないため、患者に不快感を起こさせる虞が少ないためである。なお本実施形態において冷媒としては、直接又は水まくら中の冷却物体を介して患者の首元又は頭部を冷却することが可能である限りにおいて限定されないが、例えばＨＦＣ（ハイドロフルオロカーボン）、ＰＦＣ（パーフルオロカーボン）又はＳＦ（六フッ化硫黄）の少なくともいずれかを用いていることが好ましい。
【００２２】
また本実施形態において圧縮機２３は、冷媒タンク２１に貯蔵された冷媒を圧縮し、第１冷媒管２２、第２冷媒管３１に冷媒を圧送するためのものである。本実施形態において、圧縮機２３の配置も、上記冷媒タンク２１と同様、筺体２の中央部の内部（水まくら３の下）に設けられていることが好ましい。このようにすることで冷媒タンク２１の近傍に配置して効率よく冷媒を圧縮することができるとともに、患者が頭部を載せた場合であっても、電動機に比べ振動を大きく発生させる虞が少なく、主電源のように発熱が少なく、水まくら３の熱効率の低下を抑えることができる。
【００２３】
本実施形態において、電動機２５は、圧縮機２３を作動させるものである。電動機２５の配置としては、限定されるわけではないが、筺体２内の側部に配置することが好ましい。このようにすることで、中央に凹部を形成しても比較的嵩張るものを採用することも可能となり、また、振動及び発熱が生じたとしても、患者の頭部から離し、振動を伝えにくくすることができ、更には、筺体２から熱を排出しやすくなるといった利点がある。
【００２４】
また本実施形態において第１冷媒管２２は、冷媒タンク２１に接続され、筺体２内の側部においてジグザグ状に配置されている。そして、筺体２の側部には通気孔２８１が設けられており、ジグザグ状に配置された冷媒を冷却する際に除去される熱を、冷却ファン２４により筺体２の外部に排出することができる。第1冷媒管２２は細くジグザグ状に配置されることで表面積を増やし、放熱しやすくなっている。図９は、ジグザグ状に配置された第１冷却管の概略図である。
【００２５】
また本実施形態において冷却ファン２４は、上記の通り筺体２の側部においてジグザグ状に配置された第１冷媒管２２を冷却するためのものである。冷却ファン２４の配置は、限定されるわけではないが、筺体２内側部の第１冷却管２２のジグザグ状の部分近傍に配置されていることが冷却効率の観点から好ましい。なお冷却ファン２４の数は、筺体２の容積が許す限りにおいて限定は無く、複数設けることが好ましく、また後述のように、筺体２内の両側部に設けておくことはより冷却効率を上げる上で好ましい。冷却ファン２４の構成は特に限定されることなく公知のものを採用することができる。
【００２６】
また本実施形態において、主電源２６は、電動機２５や冷却ファン等の筺体２内の各装置に送電するためのものである。主電源２６の配置としては、限定されるわけではないが、筺体２内の側部に配置しておくことが好ましい。このようにすることで電源が熱をもった場合であっても、水まくら２に熱を伝えにくくできるとともに筺体２外部に冷却ファン２９を介して排熱しやすくすることができる。主電源２６の構成としては、特に限定されるわけではないが、蓄電池、乾電池、燃料電池、リチウムイオン電池又はリチウムポリマ電池の少なくともいずれかを採用することが、まくらを小型化できるといった利点、電源から離れた場所であっても充電により長期間使用することができるといった利点があり好ましい。また特に、冷却ファン２９を主電源２６近傍の側部に設けるとともに筺体２の第１冷却管２２が配置されている側とは反対の側にも通気孔２８２を設け、冷却ファン２９により主電源２６が発する熱を効率よく排出することが望ましい。すなわち、筺体２の両側部に冷却ファン２４、２９を設けることで一方では第１冷却管２２を冷却し、他方では電源２６等の装置の熱を排出することができるようになる。なおこの場合において、複数の冷却ファンの送風方向は略同じ方向であることは好ましい一例である。ここで「略同じ」とは、完全に同じであることが好ましいが、製作の誤差や、実質的に同一と見ることができる程度のずれを含むものである。この場合の風の流れについて図１０に示しておく。このようにすることで、一方向の流れを作り、効率の良い冷却を行なうことができる。またもちろん、両側部だけでなく、背部に別途通気孔２９３を設けることで、冷却ファンの送風の向きをそれぞれ近い側の通機構側すなわち略反対の方向とすることも可能である。ここで「略反対」は上記「略同じ」と同様、完全に反対であることが好ましいが、製作の誤差や、実質的に反対向きと見ることができる程度のずれを含むものである。この場合の風の流れについて図１１に示しておく。このようにすることで、主電源２６からの熱、電動機２５から発生する熱を筺体２内に送ることなく直接通気孔２８１、２８２からそれぞれ排出することができ、より冷却を効率よく行なうことができる。
【００２７】
また本実施形態において、筺体２内部において、緩衝シート４を設け、その上に上記冷媒タンク、圧縮機、電動機、主電源等を配置することは熱の伝達や機械振動を低減させることができる点において好ましく、特に上記の好ましい配置と組み合わせることでこの効果がより顕著となる。緩衝シートは、振動等の力を吸収することのできる部材である限りにおいて限定されるわけではないが、例えばウレタンシート、ゴムシートを好適に用いることができる。
【００２８】
また本実施形態において、水まくら３内には、第２冷媒管３１が収納されている。第２冷媒管３１は、第1冷媒管２２及び冷媒タンク２１に接続され、かつ水まくら３内においてジグザグ状に配置されている。これにより、平らでかつ表面積をかせぐことができるため水まくら３内の冷却物体を効率よく冷却することができるとともに、硬い冷却管を水まくらの冷却物体中に保持することで患者が頭部を乗せた場合であっても不快感を与えることなく好適に使用することが可能となる。また第１の冷媒管２２と第２の冷媒管は一体に形成してもよいし、別々に形成しても良い。別々に成型する形態とすると、筺体２と水まくら３とをそれぞれ別個に作成し、組み立てた後冷却管を接続することで容易に作製することができるといった利点がある。また、上述のように、第１と第２の冷媒管は筺体２の下部から突き抜けるように水まくらに挿入されていてもよいし、図５、図７、図８の例で示すように、中央部に設けられた凹部の両脇にある相対的に壁となっている部分から横方向に挿入されていてもよい。
【００２９】
また、本実施形態では、筺体２に付属し、主電源２６の電源スイッチをＯＮ又はＯＦＦにすることのできるリレー電源２７が配置されている。リレー電源２７には温度センサー３２が接続されており、リレー電源２７は、温度センサー３２の指令に基づき主電源をＯＮ又はＯＦＦにする。なおリレー電源には、電源が入っている場合と電源が入っていない場合の違いを表示するためのランプが設けられていることが好ましく、例えば、電源が入っている場合に表示する緑色ランプと、電源が入っていない場合に表示する赤色ランプとを有していることが好ましい。
【００３０】
本実施形態に係る温度センサーは、患者の体温を測定することが可能なものである限りにおいて限定されるわけではないが、プラス側及びマイナス側の一対のセンサー及び制御回路を有してなるものであることは好ましい一例である。一対のセンサーの例としては、図１で示すように、水まくらの表面に付着配置された横方向に延びた線状の一対のセンサーであることが好ましい。このようにすることで、患者が水まくらに頭を乗せる自然状態で熱を図ることができ、しかもこの状態が熱を感知する最も効率の良い位置となる。もちろん、図１２で示すようなパッド状の一対のセンサーであってもよい。
【００３１】
患者の首元に配置される温度センサー３２と、筺体２に付属し、温度センサー３２の指令に基づき主電源２６の電源スイッチをＯＮ又はＯＦＦにするリレー電源２７と、を有し、温度センサー３２の指令によって、患者の体温が平熱以上の体温であると感知した場合にはリレー電源２７の電源スイッチがＯＮとなり電動機２５を作動させて第１冷却管２及び第２冷却管３１に冷媒を冷却ファン２４を用いて冷却させながら循環させる一方、患者の体温が平熱に回復した場合には、リレー電源２７の電源スイッチがＯＦＦとなり電動機を停止させる。
【００３２】
ここで、本実施形態に係る自動冷却式水まくらの動作について説明する。
【００３３】
まず、平熱（３６．５℃）以上に発熱した患者が頭を乗せると温度センサー３２が発熱を感知し、リレー電源に指令を出す。そしてリレー電源は主電源に指令を出し、主電源の電源スイッチをＯＮにする。
【００３４】
主電源の電源スイッチがＯＮになると電動機が作動を開始し、圧縮機の作動を開始する。なお、電動機と圧縮機の間には動力伝達器が配置され、この電力伝達器を介して圧縮機は作動することとなり、冷媒タンク内の冷媒を第１冷媒管に圧送する。
【００３５】
なお第１冷媒管に圧送された冷媒は、ジグザグ状の部分において回転する冷却ファンにより熱を奪われ、第２の冷媒管に運ばれる。そして第２の冷媒管に運ばれた冷媒は水まくら内の冷却物体を冷却し、患者の頭部、首元を冷やす。これが患者の熱が平熱に戻るまで続けられる。なお第２の冷媒管は冷媒タンクに接続されているため、冷媒は結局冷媒タンクに戻り、電動機が作動している限り循環を繰り返す。なおこの場合において、冷却ファンは、冷媒管の冷媒を冷やすだけでなく、上記の通り主電源側の側部にも設けられ、主電源等の他の装置から発生する熱を筺体外に排出すると、水まくらの熱を低い状態に抑えることができる点において好ましい。
【００３６】
そして、患者が平熱にまで回復すると、患者の首元の温度センサーの指令によって作動も止まるので、冷媒の循環も止められる。
【００３７】
以上、本発明により、下記に示す効果が期待できる。
（１）水まくら本体が小型軽量となる。
（２）冷却装置そのものがまくら本体の中に収納されているため、持ち運び、設置が簡便である。
（３）発熱から解熱までセンサーで自動的に制御することができるため手間がかからない。
（４）普段は一般的なまくらとして活用できるので急に発熱しても、瞬時に対応ができる。
（５）一般家庭用としての使用拡大も図られる。
【００３８】
なお、本実施形態では、自動冷却式水まくらが自動的に患者の熱を測定し、この熱に応じて主電源のＯＮ及びＯＦＦを制御することとしているが、これに限られず、例えば強制的に冷却を行なわせるボタンを付し、手動作により冷却の開始、停止を制御する構成を加えることも可能である。
【産業上の利用可能性】
【００３９】
本発明は、自動冷却式の水まくらとして産業上の利用可能性がある。
【図面の簡単な説明】
【００４０】
【図１】実施形態に係る自動冷却式水まくらの上面図である。
【図２】実施形態に係る自動冷却式水まくらの右側面図である。
【図３】実施形態に係る自動冷却式水まくらの左側面図である。
【図４】実施形態に係る自動冷却式水まくらの筺体内部の配置の概略図である。
【図５】実施形態に係る自動冷却式水まくらの筺体内部の配置の概略図である。
【図６】実施形態に係る自動冷却式水まくらの背面図である。
【図７】水まくら内の第２冷却管の配置の概略上面図である。
【図８】水まくらに加わる負荷を説明するためのイメージ図である。
【図９】ジグザグ状に配置された第１冷却管の概略図である。
【図１０】実施形態に係る自動冷却式水まくらの風の流れを示す図である。
【図１１】実施形態に係る自動冷却閾図まくらの風の流れを示す図である。
【図１２】他の温度センサーの例を示す図である。
【符号の説明】
【００４１】
１…自動冷却式水まくら、２…筺体、３…水まくら、４…緩衝シート
【図１】
2010036020.tif 000003
【図２】
2010036020.tif 000004
【図３】
2010036020.tif 000005
【図４】
2010036020.tif 000006
【図５】
2010036020.tif 000007
【図６】
2010036020.tif 000008
【図７】
2010036020.tif 000009
【図８】
2010036020.tif 000010
【図９】
2010036020.tif 000011
【図１０】
2010036020.tif 000012
【図１１】
2010036020.tif 000013
【図１２】
2010036020.tif 000014
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
金属、化学樹脂又は硬質ゴムの少なくともいずれかを含んで構成され、中央部に凹部が設けられ、かつ両側面に通気孔が設けられてなる筺体と、
前記筺体の凹部の上面に配置され、ゴム、化学樹脂又は防水布の少なくともいずれかを用いて構成され、その内部に液体又はジェル状の冷却物体を含むマット状の水まくらと、
前記筺体内に収納される、冷媒タンク、前記冷媒タンクに接続される第1冷媒管、前記第1冷媒管に冷媒を圧送する圧縮機、前記第1冷媒管の冷媒を冷却する冷却ファン、前記圧縮機及び前記冷却ファンを作動させる電動機、及び、前記電動機に送電する主電源と、
前記水まくら内に収納され、かつ、前記第1冷媒管及び前記冷媒タンクに接続されジグザグ状に配置される第２冷媒管と、
患者の体温を検出するための温度センサーと、
前記筺体に付属し、前記温度センサーの指令に基づき前記主電源の電源スイッチをＯＮ又はＯＦＦにするリレー電源と、を有し、
前記冷媒タンク及び前記圧縮機は前記筺体の中央部の内部に配置され、
前記電動機及び主電源は、前記冷媒タンク及び前記圧縮機を挟むように配置され、
前記第１の冷却管は、前記筺体の側部においてジグザグに配置され、
前記冷却ファンは、筺体のそれぞれの通気孔近傍に設けられ、一方は前記第１の冷却管を冷却し、他方は前記主電源の熱を前記通気孔から排出し、
前記温度センサーの指令によって、前記患者の体温が平熱以上の体温であると感知した場合には前記リレー電源の電源スイッチがＯＮとなり前記電動機を作動させて前記第１冷却管及び第２冷却管に冷媒を前記冷却ファンを用いて冷却させながら循環させる一方、前記患者の体温が平熱に回復した場合には、前記リレー電源の電源スイッチがＯＦＦとなり前記電動機を停止させる自動冷却式水まくら。
【請求項２】
前記温度センサーは、前記マット状の水まくらの表面に配置されてなる請求項１記載の自動冷却式水まくら。
【請求項３】
前記筺体の背面に通気孔が設けられており、
前記両側面に配置された冷却ファンの送風方向が略反対方向である請求項１記載の自動冷却式水まくら。
【請求項４】
前記主電源は、蓄電池、乾電池、燃料電池、リチウムイオン電池又はリチウムポリマ電池のいずれかを備えてなる請求項１記載の自動冷却式水まくら。